(57)【要約】【課題】タッチスクリーン・ディスプレイを有する操作装置において、表示画像の位置調整を直観的な操作で効率良く行うことが可能なインタフェースを提供する。【解決手段】グループ化された複数のプレビュー画像のうち、２つのプレビュー画像３０２Ｂ，３０２Ｆをオブジェクト表示領域３０３からグループ外へ退避させる。その後、オブジェクト表示領域３０３に残った他のプレビュー画像を一括スクロールさせる。該当位置までスクロールさせた後、プレビュー画像３０２Ｊ，３０２Ｋの所定位置５０４，５０５をピンチアウト操作する。これにより、退避されたプレビュー画像３０２Ｂ，３０２Ｆが挿入される。このようにして、プレビュー画像の位置調整を行う。【選択図】図７
2014106941.tif 000002
【特許請求の範囲】
【請求項１】
指又はペンで操作可能な表示画面のオブジェクト表示領域に、複数のオブジェクトを表示させるオブジェクト表示手段と、
前記オブジェクト表示領域上の選択操作で選択された少なくとも一つの対象オブジェクトを、前記オブジェクト表示領域外へ退避させるとともに、該対象オブジェクトの表示を削除する選択手段と、
前記オブジェクト表示領域に残るオブジェクトを、当該オブジェクト表示領域上でスクロール操作された方向にスクロールさせるスクロール手段と、
前記オブジェクト表示領域上の挿入操作で指定された挿入位置に、前記対象オブジェクトを挿入するとともに、前記オブジェクト表示領域内のオブジェクト表示を更新する挿入手段と、を有することを特徴とする、
操作装置。
【請求項２】
退避中の対象オブジェクトの挿入前に完了操作が指示されたときに、挿入せずに完了するか否かの決定を促す確認画面を前記表示画面に表示させる確認手段をさらに有することを特徴とする、
請求項１記載の操作装置。
【請求項３】
前記挿入手段は、前記挿入操作で指定された挿入位置の位置情報を前記対象オブジェクトの選択操作に先行して所定のメモリに記録しておき、前記選択手段において前記対象オブジェクトが選択された後に、当該選択された対象オブジェクトを前記位置情報により特定される挿入位置へ挿入することを特徴とする、
請求項１又は２記載の操作装置。
【請求項４】
前記選択された対象オブジェクトが複数のときに、挿入する順序の決定を促す挿入選択画面を前記表示画面に表示させ、選択された対象オブジェクトの挿入順序を検知する順序確認手段を有し、
前記挿入手段は、前記挿入順序に従って前記複数の対象オブジェクトを前記挿入位置へ挿入することを特徴とする、
請求項３記載の操作装置。
【請求項５】
前記順序確認手段は、前記表示画面におけるタッチ操作の継続時間に応じて、選択されたすべての対象オブジェクトの挿入と、前記挿入選択画面の表示とを選択的に実行することを特徴とする、
請求項４記載の操作装置。
【請求項６】
前記表示画面のオブジェクト表示領域外にバッファ領域を表示させるバッファ領域表示手段を有しており、
前記選択手段は、退避させる前記対象オブジェクトを、当該対象オブジェクトの表示サイズを縮小した縮小オブジェクトに変換して前記バッファ領域に表示させ、
前記挿入手段は、前記バッファ領域の特定の縮小オブジェクトの前記オブジェクト表示領域への移動操作が前記表示画面上で検知されたときに、当該縮小オブジェクトに対応する対象オブジェクトを前記挿入位置へ挿入することを特徴とする、
請求項１ないし５のいずれかの項記載の操作装置。
【請求項７】
前記挿入手段は、前記バッファ領域に複数の前記縮小オブジェクトが存在する場合に、いずれかの縮小オブジェクトが特定されない状態で前記バッファ領域から前記オブジェクト表示領域への移動操作が検知されたときは、前記バッファ領域に存在するすべての縮小オブジェクトに対応する対象オブジェクトを前記挿入位置へ挿入することを特徴とする、
請求項６記載の操作装置。
【請求項８】
前記バッファ領域表示手段は、前記表示画面のサイズが所定サイズを超えるときに前記バッファ領域を表示させることを特徴とする、
請求項６又は７記載の操作装置。
【請求項９】
前記バッファ領域表示手段は、指示に応じた数の前記バッファ領域を形成し、これらのバッファ領域を前記表示画面に表示させることを特徴とする、
請求項６又は７記載の操作装置。
【請求項１０】
前記複数のオブジェクトは、それぞれ独立に操作可能な態様でグループ化された複数のページ画像又はアイコン画像であり、
前記オブジェクト表示領域はグループ毎に表示されており、
前記選択手段は、予め定義された選択操作パターンに従い、前記複数のオブジェクトから１つずつ対象オブジェクトをグループ外へ退避させ、
前記挿入手段は、予め定義された挿入操作パターンに従い、グループ外に退避された前記対象オブジェクトを、前記オブジェクト表示領域に残された他のオブジェクトの前領域又は後領域へ挿入することを特徴とする、
請求項１ないし９のいずれかの項記載の操作装置。
【請求項１１】
前記選択操作パターンは、前記対象オブジェクトの前記グループ外へのドラッグ操作、連続する２つのオブジェクトのピンチイン操作のいずれかのパターンであり、
前記挿入操作パターンは、連続する２つのオブジェクトの間隙へのタッチ操作、連続する２つのオブジェクトへの同時タッチ操作、連続する２つのオブジェクトの間隙から当該２つのオブジェクトへのピンチアウト操作、２つのオブジェクトの間隙に表示された所定の画像へのタッチ操作のいずれかのパターンであることを特徴とする、
請求項１０記載の操作装置。
【請求項１２】
前記複数のオブジェクト及びこれらのオブジェクトに対して加えられた操作内容を所定の画像処理装置へ伝達する伝達手段をさらに有することを特徴とする、
請求項１ないし１１のいずれかの項記載の操作装置。
【請求項１３】
前記伝達手段が、前記伝達を無線通信回線を通じて行うことを特徴とする、
請求項１２記載の操作装置。
【請求項１４】
ユーザが操作する操作装置と、この操作装置と連携動作する画像処理装置とを有する画像形成装置であって、
前記操作装置は、請求項１ないし１３のいずれかの項記載の操作装置であり、
前記画像処理装置は、前記操作装置と通信を行うための通信手段と、
この通信手段を通じて前記操作装置へ複数のオブジェクトを伝達するとともに、当該複数のオブジェクトに対して前記操作装置で加えられた操作内容を反映した画像処理を前記複数のオブジェクトに対して施す画像処理手段とを有することを特徴とする、
画像形成装置。
【請求項１５】
操作装置の制御方法であって、
指又はペンで操作可能な表示画面のオブジェクト表示領域に、複数のオブジェクトを表示させる工程と、
前記オブジェクト表示領域上の選択操作で選択された少なくとも一つの対象オブジェクトを、前記オブジェクト表示領域外へ退避させるとともに、該対象オブジェクトの表示を削除する工程と、
前記オブジェクト表示領域に残るオブジェクトを、当該オブジェクト表示領域上でスクロール操作された方向にスクロールさせる工程と、
前記オブジェクト表示領域上の挿入操作で指定された挿入位置に、前記対象オブジェクトを挿入するとともに、前記オブジェクト表示領域内のオブジェクト表示を更新する工程と、
を有することを特徴とする操作装置の制御方法。
【請求項１６】
コンピュータを操作装置として動作させるためのコンピュータプログラムであって、
前記コンピュータを、
指又はペンで操作可能な表示画面のオブジェクト表示領域に、複数のオブジェクトを表示させるオブジェクト表示手段、
前記オブジェクト表示領域上の選択操作で選択された少なくとも一つの対象オブジェクトを、前記オブジェクト表示領域外へ退避させるとともに、該対象オブジェクトの表示を削除する選択手段、
前記オブジェクト表示領域に残るオブジェクトを、当該オブジェクト表示領域上でスクロール操作された方向にスクロールさせるスクロール手段、及び、
前記オブジェクト表示領域上の挿入操作で指定された挿入位置に前記対象オブジェクトを挿入するとともに、前記オブジェクト表示領域内のオブジェクト表示を更新する挿入手段、として機能させることを特徴とする、
コンピュータプログラム。
【発明の詳細な説明】
【技術分野】
【０００１】
本発明は、指又はペンで操作可能な表示画面、例えばタッチスクリーン・ディスプレイを備えた操作装置及び画像形成装置に関する。
【背景技術】
【０００２】
プリンタやデジタル複合機のような画像形成装置の中には、デジタルカメラ等で撮影した写真画像やインターネットよりダウンロードした文書データ等を印刷する機能を有するものがある。このような画像形成装置の多くは、読取画像や印刷結果を事前にチェックするために、プレビュー画像を表示するタッチスクリーン・ディスプレイを備えている。タッチスクリーン・ディスプレイは、表示画面に直接触れることで指示を入力できるため、直感的で簡単に操作できる点がメリットである。
【０００３】
近年は、携帯端末の多機能化が進み、その表示部にもタッチスクリーン・ディスプレイが採用されるのが一般的となっている。また、携帯端末と雖も、その作業環境は、パーソナルコンピュータと変わらなくなってきている。今後は、携帯端末のタッチスクリーン・ディスプレイの表示画面を通じて編集作業等を行う環境が構築されることが予想される。
【０００４】
このようなタッチスクリーン・ディスプレイでは、表示領域に制限がある。例えば表示画像を画面に表示されていない位置まで移動させるときは、画面を当該位置が表示されるまでスクロールさせる必要がある。そのための従来技術として、特許文献１に開示された操作装置がある。この操作装置では、表示画面において、いずれかの表示画像が選択された状態のときにそれ以外の複数の表示画像の領域への移動指示がなされた場合、これらの複数の表示画像をスクロールさせる。例えば、選択した５頁目の表示画像を一つの指で表示画面の端に保持しておき、もう一つの指で選択した他の複数の表示画像画像をスクロールさせて、所望の位置である１５頁と１６頁の間に到達したとき、その位置に、選択した５頁目の表示画像を挿入させる。
【先行技術文献】
【特許文献】
【０００５】
【特許文献１】特開２０１２−４８５２５号公報
【発明の概要】
【発明が解決しようとする課題】
【０００６】
特許文献１に開示された操作装置では、選択した表示画像以外の複数の画像をスクロールする際に、所望の位置で止まりきれず、当該位置を超えてしまう場合がある。上記の例では、１５頁目で止まりきれず、１７頁までスクロールしてしまう場合がある。この場合には、複数の画像を逆方向にスクロールさせて、１５頁目まで位置を戻すことになる。つまり、選択している５頁目の表示画像を一旦表示画面の逆の端の位置まで移動させ、その位置でスクロールが１５頁目で止まるまで保持（待機）しておく必要がある。そのため、ユーザの利便性を損う。
また、タッチスクリーン・ディスプレイでは、マルチタッチによる操作、例えばピンチイン・ピンチアウト等の操作を行うことができるものがある。これらの操作は、画像の拡大・縮小処理等に割り当てられることが多い。
【０００７】
特許文献１に開示される操作装置では、表示画像を選択している状態を検出した後の操作を移動指示とし、表示画像の移動処理を行う移動モードに入ってしまう。そのため、表示画像に対するマルチタッチ操作を行うためには、一旦、移動モードから抜けなくてはならない。また、この操作装置では、表示画像を選択している状態を検出するために、選択された画像の位置や停止状態の情報を使用している。しかし、表示画像の選択操作とマルチタッチ操作との違いが直観的ではなく、ユーザの誤操作を招く可能性があった。
本発明は、ユーザの誤操作を招くことなく、表示画像の位置調整を直観的な操作で効率良く行うことが可能なユーザインタフェース技術を提供することを主たる課題とする。
【課題を解決するための手段】
【０００８】
本発明は、上記のユーザインタフェース技術を適用した操作装置、画像形成装置及びコンピュータプログラムを提供する。
本発明の操作装置は、オブジェクト表示手段、選択手段、スクロール手段、及び、挿入手段を有する。
オブジェクト表示手段は、指又はペンで操作可能な表示画面のオブジェクト表示領域に、複数のオブジェクトを表示させる。
選択手段は、前記オブジェクト表示領域上の選択操作で選択された少なくとも一つの対象オブジェクトを、前記オブジェクト表示領域外へ退避させる。また、該対象オブジェクトの表示を削除する。
スクロール手段は、前記オブジェクト表示領域に残るオブジェクトを、当該オブジェクト表示領域上でスクロール操作された方向にスクロールさせる。
挿入手段は、前記オブジェクト表示領域上の挿入操作で指定された挿入位置に、前記対象オブジェクトを挿入する。また、前記オブジェクト表示領域内のオブジェクト表示を更新する。
【０００９】
本発明の画像形成装置は、上述した操作装置、通信手段及び画像処理手段を有する。通信手段は操作装置と通信を行う。画像処理手段は、操作装置へ複数のオブジェクトを伝達する。また、当該複数のオブジェクトに対して前記操作装置で加えられた操作内容を反映した画像処理を前記複数のオブジェクトに対して施す。
【００１０】
本発明のコンピュータプログラムは、コンピュータを上記の操作装置として動作させる。具体的には、コンピュータを、オブジェクト表示手段、選択手段、スクロール手段、及び、挿入手段として機能させるものである。
【発明の効果】
【００１１】
本発明よれば、オブジェクト表示領域上の選択操作で選択された少なくとも一つの対象オブジェクトを退避させたときは、その表示が削除される。そのため、次の操作のために対象オブジェクトのタッチを維持する必要がなく、操作が容易になる。これにより、従来技術の問題が解消される。
また、残ったオブジェクトをスクロールさせ、挿入位置に到達したときに、挿入装置の指定を伴う挿入操作を表示画面上で行うだけで、退避された対象オブジェクトが挿入される。そのため、対象オブジェクトの抜き出し、残りのオブジェクトの表示移動、対象オブジェクトの挿入を、それぞれ独立した操作として実現することができる。
これにより、直観的でわかりやすく、効率の良い操作性をユーザに提供することができる。
【図面の簡単な説明】
【００１２】
【図１】本発明の第１実施形態に係る画像形成装置の要部構成例を示した図。
【図２】操作端末のタッチスクリーン例を示した図。
【図３】（ａ），（ｂ）は第１実施形態におけるページ編集画面の説明図。
【図４】（ａ）〜（ｃ）は第１実施形態におけるページ抜出操作時の説明図。
【図５】（ａ），（ｂ）は第１実施形態におけるページ抜出操作時の説明図。
【図６】（ａ）〜（ｃ）は第１実施形態におけるページ挿入操作時の説明図。
【図７】（ａ），（ｂ）は第１実施形態におけるページ挿入操作時の説明図。
【図８】第１実施形態におけるページ移動操作の制御手順説明図。
【図９】第２実施形態における完了操作確認画面の説明図。
【図１０】第２実施形態におけるページ移動操作の制御手順説明図。
【図１１】第３実施形態におけるページ移動操作の制御手順説明図。
【図１２】（ａ）〜（ｃ）は第４実施形態におけるページ挿入順選択画面の説明図。
【図１３】（ａ），（ｂ）は第４実施形態における挿入ページ選択画面の説明図。
【図１４】第４実施形態におけるページ移動操作の制御手順説明図。
【図１５】（ａ）〜（ｄ）は第５実施形態におけるページ抜出操作時の説明図。
【図１６】第５実施形態におけるページ移動操作の制御手順説明図。
【図１７】（ａ）〜（ｆ）は第６実施形態におけるアイコン画像の移動操作説明図。
【発明を実施するための形態】
【００１３】
以下、本発明の実施の形態例を図面を参照して説明する。
［第１実施形態］
［画像形成装置の構成］
図１は、本発明の第１実施形態に係る画像形成装置の要部構成例を示す図である。この画像形成装置は、例えば読取、複写、印刷、ファクシミリ送受信などの機能を実現する多機能印刷機（Multi Function Printer）であり、操作端末１００と多機能印刷部（ＭＦＰ部）１２０とを含んで構成される。
【００１４】
[操作端末の構成]
操作端末１００は、写真を撮影するためのデジタルカメラ機能、無線ネットワーク回線（不図示）を介してインターネットとの間で文書や画像のデータの授受を行うデータ取込機能を備えた情報処理端末である。デジタルカメラ機能及びデータ取込機能により取得したデータは、後述する液晶ディスプレイに表示され、タッチスクリーンを通じて操作される。
この操作端末１００は、ＭＦＰ部１２０に付随した専用品としても良いし、ＭＦＰ部１２０と分離するタブレット等の電子端末を使用する構成であっても良い。本例では、電子端末を操作端末１００として使用する構成について説明する。電子端末を操作端末１００として機能させる上で必要なコンピュータプログラムは、別途、電子端末独自の通信手段等でダウンロードすることで実装されているものとする。
【００１５】
操作端末１００は、タッチスクリーン１０１及び液晶ディスプレイ１０２の２層構造のタッチスクリーン・ディスプレイ２０１を表示画面として備える。タッチスクリーン１０１は、インタフェース（以下、「Ｉ／Ｆ」と称する）１０３を介して、液晶ディスプレイ１０２はＩ／Ｆ１０４を介して、それぞれ、操作制御部１０５に接続されている。
操作制御部１０５には、Ｉ／Ｆ１０６を介してメモリ１０７が接続されている。また、Ｉ／Ｆ１０８を介してネットワーク通信部１０９が接続されている。
【００１６】
操作制御部１０５は、図示しないＣＰＵ（Central Processing Unit）と不揮発性メモリ（Non Volatile Random Access Memory）とを含んで構成される。不揮発性メモリには、制御プログラム及び後述する各種操作パターンの定義情報が格納されている。ＣＰＵは、不揮発正メモリに格納された制御プログラムを実行することにより、ユーザに提供する操作環境を統括的に制御する。具体的には、タッチスクリーン・ディスプレイ２０１への情報表示、表示された情報に対してユーザが指又はペンで操作入力した内容の検知及び検知内容に応じた制御処理を行う。その際、一時的に格納しておくべきデータは、Ｉ／Ｆ（Interface）１０６を介してメモリ１０７に格納され、適宜、読み出される。ＭＦＰ部１２０と通信する必要がある場合は、無線通信回線１２１を確立する。すなわち、Ｉ／Ｆ１０８を介してネットワーク通信部１０９を制御し、アンテナ１１０を通じてＭＦＰ部１２０とＷＬＡＮ（Wireless LAN）による通信を可能にする。
【００１７】
[ＭＦＰ部の内部構成]
ＭＦＰ部１２０は、画像形成装置に設けられた一種のコンピュータ装置である。ＭＦＰ部１２０には、ＤＭＡＣ（Direct Memory Access Controler）によるデータ転送を行う機能を有するデータバスＩ／Ｆ１１０が設けられている。このデータバスＩ／Ｆ１１０を介して、ネットワーク通信部１１１、ＣＰＵ１１２、ＲＯＭ（Read Only Memory）１１３が接続される。データバスＩ／Ｆ１１０には、画像処理部１１４、プレビュー画像生成部１１５、メモリ１１６、プリンタ部１１７、スキャナ部１１８も接続される。ネットワーク通信部１１１には、アンテナ１１９が接続されている。
【００１８】
ＣＰＵ１１２は、ＲＯＭ１１３に格納された制御プログラムを実行することにより、データ転送を含む各部１１１，１１４〜１１８の動作を統括的に制御する制御モジュールである。例えば、操作端末１００からスキャン処理が指示され、図示しない原稿搭載台に原稿が載置されたとする。ＣＰＵ１１２は、スキャナ部１１８を制御して、原稿画像を読み取らせる。読み取られた原稿画像をスキャンデータという。スキャンデータは、スキャナ部１１８でデジタルデータに変換された後、メモリ１１６に格納される。スキャンデータとは別に、操作端末１００から伝達されたデータについても、メモリ１１６に格納される。
【００１９】
画像処理部１１４は、メモリ１１６に格納された各種データに対して画像処理を施す。また、操作端末１００の表示画面に表示させる設定メニュー画面画像、後述する案内ないし確認画面等を生成する。画像処理部１１４で生成されたデータは、メモリ１１６に格納される。
プレビュー画像生成部１１５は、メモリ１１６に格納されているデータからプレビュー画像を表示させるためのプレビュー画像データを生成し、これをプレビュー元のデータと関連付けて、メモリ１１６に格納しておく。
【００２０】
プリンタ部１１７は、メモリ１１６に格納された各種データ又はプレビュー画像データの印刷処理を行う。プリンタ部１１７が、例えば電子写真方式のプリンタであれば、ＰＷＭ変調によって感光像担持体に潜像形成するレーザパルスを生成する。感光像担持体に潜像形成された画像は、図示しない用紙に転写・定着されて出力される。
操作端末１００のタッチスクリーン・ディスプレイ２０１にプレビュー画像を表示させる場合（そのような指示が操作端末１００より受領した場合）、ＣＰＵ１１２は、メモリ１１６に格納されているプレビュー画像データを読み出す。そして、ネットワーク通信部１１１を制御し、アンテナ１１９を通じて無線通信回線１２１により操作端末１００へ伝達する。
【００２１】
［タッチスクリーン・ディスプレイ］
次に、図２を参照し、操作端末１００のタッチスクリーン・ディスプレイ２０１について説明する。タッチスクリーン・ディスプレイ２０１は、透明な材質で形成されたタッチスクリーン１０１の下層に、液晶ディスプレイ１０２を配備して構成される。
液晶ディスプレイ１０２には、操作制御部１０５及びＩ／Ｆ１０４を介して受領した各種データが表示される。各種データは、例えば、上述したデジタルカメラ機能及びデータ取込機能により取得したデータ、及び、ＭＦＰ部１２０より取得した設定メニュー画面その他の各種データである。
タッチスクリーン１０１は、表示画面上でユーザの指（指先）２００やペン（タッチペン：不図示）によって操作された位置すなわち当該位置の座標及びその変化を検知する。このようにして検知された座標及びその変化を表すデータは、操作制御部１０５に伝達される。操作制御部１０５は、伝達されたデータをメモリ１０７に格納する。
【００２２】
こうした動作によって、操作端末１００は、上述した各種データをタッチスクリーン・ディスプレイ２０１に表示させ、表示画面上の操作によって各種処理を割り当てることができる。各種処理は、動作モードの選択、機能設定、動作指示、表示画像に対する編集処理時の選択や移動、その際のタッチ、ドラッグ、ピンチ、フリック等のスクリーン操作の定義、表示画像上の所望の位置（座標）の指定その他の処理である。割り当てられた処理の内容は、適宜、ＭＦＰ部１２０へ伝達される。
【００２３】
［プレビュー画像のページ位置調整］
上記のように構成される画像形成装置の動作例として、ユーザが、操作端末１００のタッチスクリーン・ディスプレイ２０１を通じて、オブジェクトの一例となるページ単位のプレビュー画像の位置を調整する概念について説明する。
【００２４】
図３（ａ）は、操作端末１００のタッチスクリーン・ディスプレイ２０１上に表示されたプレビュー画像の表示画面３０１を示す。図示の例では、ＭＦＰ部１２０のスキャナ部１１８によって、１冊の書類から読み取られた複数ページのプレビュー画像３０２Ａ〜３０２Ｄが表示されている。操作制御部１０５は、ＭＦＰ部１２０から伝達されたプレビュー画像データを用いて、プレビュー画像３０２をオブジェクト表示領域３０３内に表示させる。
【００２５】
なお、表示領域のサイズの制限から、タッチスクリーン・ディスプレイ２０１上には表示されないが、プレビュー画像３０２Ｄ以降のページとして、同じグループに分類される他のプレビュー画像３０２Ｅ、３０２Ｆ等が存在する。また、図３（ｂ）に示すように、タッチスクリーン・ディスプレイ２０１上で、右から左の方向へ移動させるスクロール３０４のタッチ操作を行うと、当該グループの全てのプレビュー画像３０２の表示が移動する。このようなプレビュー画像の移動処理については、公知の技術を用いて実施することができる。
【００２６】
図４（ａ）において、ユーザが、プレビュー画像３０２Ｂを移動させたい場合は、そのプレビュー画像の位置４００をタッチ操作し、そこからオブジェクト表示領域３０３の外の位置４０１までドラッグ操作する。そして、その位置４０１で指を画面から離す。ドラッグ操作とは、タッチ操作による選択状態のまま、その指を画面上で移動させる操作である。このような操作のパターンが選択操作パターンであり、予め定義されている。
【００２７】
図４（ｂ）は、ドラッグ操作中のプレビュー画像の表示態様例を示す。図４（ｃ）は、ユーザが指を離した後の表示画面３０１を示す。このように、プレビュー画像３０２Ｂは、オブジェクト表示領域３０３外に退避され、その表示も削除されている。
なお、ここでは、ドラッグ操作中でもプレビュー画像が表示され続ける例を示しているが、必ずしもこのような表示態様としなくても良い。また、移動させたプレビュー画像を選択した後、間をつめて、プレビュー画像３０２Ａの隣にプレビュー画像３０２Ｃが表示されるように、プレビュー画面を更新しても良い。
【００２８】
さらに、図５（ａ）に示すように、プレビュー画像３０２Ｆをも移動したい場合は、図４（ａ）に示した要領で、プレビュー画像３０２Ｆを退避させる。すなわち、ドラッグ操作４０２，４０３した後、指を画面から離す。これにより、２つの移動対象となる２つのプレビュー画像３０２Ｂ，３０２Ｆが確定する。
なお、ドラッグ操作ではなく、図５（ｂ）に示すように、移動対象となるプレビュー画像の両端位置４０４，４０５を２本の指でつまむように動かす操作、すなわちピンチイン操作をも選択操作パターンとして、移動対象となるプレビュー画像を選択しても良い。
【００２９】
次に、退避されたプレビュー画像３０２Ｂ，３０２Ｆを、図６（ａ）に示すプレビュー画像３０２Ｊとプレビュー画像３０２Ｋとの間隙まで移動させ、挿入する場合の表示画面の動きを説明する。
ユーザは、プレビュー画像３０２Ｊとプレビュー画像３０２Ｋの間隙の挿入位置５００を、指でタッチ操作することで、挿入位置５００を指示する。
【００３０】
次いで、図６（ｂ）に示すように、オブジェクト表示領域３０３外の位置５０１から挿入位置５００までスライドさせる。このような操作パターンが挿入操作パターンであり、予め定義されている。
なお、挿入操作パターンは、このほか、図６（ｃ）に示すように、隣り合う二つのプレビュー画像３０２Ｊ、３０２Ｋの所定位置５０３を同時にタッチ操作するパターンであっても良い。また、図７（ａ）に示すように、２つのプレビュー画像３０２Ｊ、３０２Ｋの所定位置５０４，５０５を２本の指で拡げるように動かす操作、すなわちピンチアウト操作であっても良い。つまり、ページ間に挿入する感覚でのパターンである。
図７（ｂ）は、このような操作によって、プレビュー画像の挿入が完了した状態を示している。なお、ここでは、図４（ａ）及び図５（ａ）のように選択された順に挿入する例を示したが、逆順に挿入してもかまわない。
【００３１】
[操作端末の動作内容]
図４〜図７によるプレビュー画像の位置調整を行うときの操作端末１００の動作内容を、図８を参照して説明する。図８は、操作制御部１０５（ＣＰＵ）による制御手順説明図である。
操作制御部１０５は、タッチスクリーン・ディスプレイ２０１上に、図３（ａ）に示した表示内容を表示させるため、オブジェクト表示領域３０３に、グループ化された複数のオブジェクト、すなわち複数のプレビュー画像を表示させるための表示制御を行う（Ｓ１０１）。その後、ユーザによるタッチスクリーン１０１の操作内容を検知する（Ｓ１０２）。
【００３２】
操作制御部１０５は、まず、検知した操作内容が、移動対象となるプレビュー画像を選択する選択操作か否かを判定する（Ｓ１０３）。この判定は、検知した操作内容が、予め定めた複数のプレビュー画像の中から、特定のプレビュー画像を選択したことを表す選択操作パターンと適合するかどうかにより行う。選択対象パターンは、例えば、オブジェクト表領域３０３外へ移動する操作（図４（ａ）：４００、４０１）のパターン、あるいはピンチイン操作（図５（ｂ）：４０４，４０５）のパターンである。
適合する場合（Ｓ１０３：YES）、操作制御部１０５は、移動対象となるプレビュー画像をメモリ１０７に退避させた後、オブジェクト表示領域３０３から、その表示を削除する（Ｓ１０４）。その後、Ｓ１０２へ戻る。図５（ａ）に示したように、移動対象となるプレビュー画像が複数になるときは、Ｓ１０２〜Ｓ１０４を繰り返す。
【００３３】
Ｓ１０３において、選択操作ではないと判定した場合（Ｓ１０３：NO）、操作制御部１０５は、検知した操作がプレビュー画像をページ間に挿入する挿入操作か否かを判定する（Ｓ１０５）。この判定は、挿入位置の指定を伴う予め定めた挿入操作パターンと適合するかどうかにより行う。挿入操作パターンは、例えば、プレビュー画像間に相当する位置へのスライド操作（図６（ａ），（ｂ）：５０１，５００）、タッチ操作（図６（ｃ）：５０３）、あるいはピンチアウト操作（図７（ａ）：５０４，５０５）である。図示を省略したが、挿入可能な位置にアイコン画像を表示させておき、このアイコン画像へのタッチ操作のパターンを挿入操作パターンとしても良い。
【００３４】
挿入操作であった場合（Ｓ１０５：YES）、操作制御部１０５は、挿入位置（座標情報）を確定し、移動対象となるプレビュー画像を、その挿入位置に挿入する（Ｓ１０６）。その後、プレビュー画像を並べ替える（図７（ｂ））。この処理は、メモリ１０７に格納されているプレビュー画像の画像データをソートすることで可能となる。
【００３５】
Ｓ１０５において、挿入操作ではないと判定した場合（Ｓ１０５：NO）、操作制御部１０５は、検知した操作が、表示中のプレビュー画像をスクロールするスクロール操作か否かを判定する（Ｓ１０７）。この判定は、予め定めたスクロール操作パターンと適合するかどうかにより行う。スクロール操作は、例えば、オブジェクト表示領域３０３内におけるフリック操作である。フリック操作とは、表示されているプレビュー画像を、その現在位置に関わらず、タッチスクリーン・ディスプレイ２０１に指を接触させながら移動させる操作のことである。
【００３６】
スクロール操作と判定した場合（Ｓ１０７：YES）、操作制御部１０５は、タッチスクリーン・ディスプレイ２０１で検知した位置の軌跡に基づき、表示中のプレビュー画像を移動させる制御を行う（Ｓ１０８）。なお、プレビュー画像の移動は、スライドするように表示させながら移動させる態様であっても良いし、複数ページのセットで表示画面を切り替えながら移動させる態様であっても良い。
【００３７】
Ｓ１０７において、スクロール操作ではないと判定した場合（Ｓ１０７：NO）、操作制御部１０５は、移動・挿入処理の完了操作か否かを判定する（Ｓ１０９）。この判定は、予め定めた完了操作パターンと適合するかどうかにより行う。完了操作パターンは、例えば、タッチスクリーン・ディスプレイ２０１上の完了ボタン（不図示）のタッチ検知、スタートキー（不図示）の押下検知等があったかどうかにより行う。完了操作であった場合（Ｓ１０９：YES）、操作制御部１０５は、ページ移動の処理を終了する。このとき、操作制御部１０５は、動作シーケンス内で得たページ移動に関する設定情報を、ＭＦＰ部１２０へ送信する。完了操作でなかった場合は（Ｓ１０９：NO）、Ｓ１０２へ戻る。
【００３８】
操作制御部１０５による以上のような制御手順により、プレビュー画像を移動させる際に、ユーザに対して、直観的なユーザインタフェースを提供することが可能となる。すなわち、ユーザは、タッチスクリーン・ディスプレイ２０１上で、移動対象となる１又は複数のプレビュー画像を指又はペンで選択することで、これらを退避させ、その後、挿入（移動）先のページ間の位置を指定するだけで、プレビュー画像の位置調整を完了させることができる。そのため、例えば紙の束から一時的に紙を抜き、その後、別の紙と紙との間に挿入するような、わかりやすい操作性で、プレビュー画像の位置調整をすることができる。その際、移動対象となるプレビュー画像を指等で押さえておく必要が無いので、操作も単純なものとなる。また、各操作パターンを予め定義しておくようにしたので、従来のようなマルチタッチ操作の制限を掛ける必要もない。
なお、第１実施形態では、プレビュー画像の移動を例に説明したが、この例に限定したものではなく、例えばスマートフォンやタブレットＰＣ等の画面上に表示されるアイコン画像の位置調整等に適用することもできる。
【００３９】
［第２実施形態］
第１実施形態では、ページ移動操作時に、操作端末１００が、選択操作、挿入操作、スクロール操作、完了操作を、この順に行う場合の例について説明したが、選択操作の後、直ちに完了操作に移行しまう場合が想定される。例えば、プレビュー画像の選択操作の後、ユーザが、誤ってそのプレビュー画像の挿入操作の指示を行わずに、完了操作の指示を入力してしまった場合である。第２実施形態では、このような意図しない誤操作に対応するための表示制御の例を説明する。
【００４０】
第２実施形態における操作端末１００の動作内容を、図９及び図１０を参照して説明する。図９は、ページ移動時の完了操作確認画面の説明図である。図１０は、この実施形態における操作制御部（ＣＰＵ）１０５により実行される制御手順説明図である。図１０のＳ２０１〜Ｓ２０９は、図８のＳ１０１〜Ｓ１０９の説明と同様となる。そのため、重複する部分の説明は省略する。
操作制御部１０５は、Ｓ２０９において完了操作と判定した場合、移動対象となるプレビュー画像のうち、未挿入のものが存在するかを、退避してあるプレビュー画像の有無により判定する（Ｓ２１０）。存在すると判定した場合（Ｓ２１０：YES）、操作制御部１０５は、その状態で、ページ移動の処理を終了させても良いかどうかを確認するための画面表示を表示させる（Ｓ２１１）。このときの表示画面例を示したのが図９である。図９の例では、未挿入のプレビュー画像の一覧７０１Ｂ，７０１Ｆ、注意喚起メッセージ、完了ボタン７０２、及び、取消ボタン７０３が表示される。
【００４１】
ユーザは、この表示画面を見て、完了して良い場合は完了ボタン７０２、誤操作に気付いたときは取消ボタン７０３を押下することになる。そのため、挿入操作を行わずに完了操作が行われた場合であっても、意図しないオブジェクトの削除が行われることなく、直観的にプレビュー画像の移動を行うことが可能となる。
【００４２】
［第３実施形態］
ユーザが、選択操作の前に、挿入操作を指示する場合も想定される。例えば、挿入位置を先に指定し、後で移動対象となるプレビュー画像を選択する場合である。第３実施形態では、このような操作に対して、直観的なページ移動を可能にする場合の例を説明する。
【００４３】
この実施形態における操作端末１００の動作内容を、図１１を参照して説明する。図１１は、操作制御部１０５（ＣＰＵ）により実行される制御手順説明図である。Ｓ３０１〜Ｓ３０５は、図８のＳ１０１〜Ｓ１０５，Ｓ３０７〜Ｓ３０９は、図８のＳ１０７〜１０９での説明とそれぞれ同様となる。そのため、重複する部分の説明は省略する。
ステップ３０５において、検知された操作が挿入操作と判定した場合、操作制御部１０５は、タッチ操作時に検知した位置に相当するプレビュー画像間を、挿入位置として確定する（Ｓ３０６）。
【００４４】
次に、操作制御部１０５は、移動対象となるプレビュー画像が選択済みか否かを判定する（Ｓ３１１）。選択済みの場合（Ｓ３１１：YES）、そのプレビュー画像を挿入位置に挿入する（Ｓ３１２）。選択済みではない場合は（Ｓ３１１：NO）、Ｓ３０２に戻る。
【００４５】
Ｓ３０３において、選択操作と判定した場合（Ｓ３０３：YES）、操作制御部１０５は、移動対象として選択されたプレビュー画像の挿入位置が確定しているかを判定する（Ｓ３１０）。確定していない場合は（Ｓ３１０：NO）、オブジェクト表示領域３０３からそのプレビュー画像を削除し（Ｓ３０４）、Ｓ３０２へ戻る。
Ｓ３１０において、挿入位置がすでに確定していると判定された場合（Ｓ３１０：YES）、Ｓ３０３において選択されたプレビュー画像を、挿入位置へ挿入する（Ｓ３１２）。
このような制御を行うことにより、選択操作が行われる前に挿入操作が行われた場合に、挿入位置を先に確定させることができるため、それができない場合に比べて、ユーザの操作性が各段に向上する。
【００４６】
［第４実施形態］
第１実施形態では、ページ移動に際して、移動対象となるプレビュー画像が複数選択されていた場合に挿入操作が行われると、全てのプレビュー画像が挿入される構成であった。しかし、挿入操作時に、複数のプレビュー画像の中から、いくつかだけを選択して挿入することが想定される。第４実施形態では、このような操作を可能にする例を説明する。
【００４７】
図１２（ａ）には、タッチスクリーン・ディスプレイ２０１の表示画面３０１に、移動対象となるプレビュー画像として、プレビュー画像３０２Ｂ，３０２Ｆ，３０２Ｑが表示されている。また、挿入の順序情報１００１、１００２、１００３がそれぞれのプレビュー画像と関連付けて表示されている。このまま全てのプレビュー画像３０２Ｂ，３０２Ｆ，３０２Ｑを、図示された順序情報の順で挿入したい場合は、図示しないボタン等により、完了操作を入力する。これにより、選択処理を終了する。
【００４８】
一方、プレビュー画像３０２Ｆのみを挿入したい場合には、他のプレビュー画像３０２Ｂ、３０２Ｑの表示位置１００４，１００５をタッチ操作する。タッチ操作が完了すると、表示画面３０１は、図１２（ｂ）のように切り替わる。
すなわち、プレビュー画像３０２Ｆのみが表示される。順番情報１００６も「２」から「１」に変更される。これにより、プレビュー画像３０２Ｆだけが挿入される。この状態で、プレビュー画像３０２Ｆ，３０２Ｂの順に挿入したい場合は、さらにプレビュー画像３０２Ｂの表示位置１００７をタッチ操作する。これにより、図１２（ｃ）のようにプレビュー画像３０２Ｆ，３０２Ｂが選択され、プレビュー画像３０２Ｂを挿入する順序情報１００８も「２」と表示される。この状態で、完了操作を行うことにより、図示の順序情報が示す順番で挿入される。
【００４９】
図１３（ａ）は、移動対象となるプレビュー画像が複数選択されている状態で、挿入位置１１０１が確定された状態を示している。また、図１３（ｂ）には、挿入位置１１０１に挿入することができるプレビュー画像を選択するためのポップアップ表示する例が示されている。挿入するページは、プレビュー画像３０２Ｂ，３０２Ｆ，３０２Ｑの順序で選択されているとする。そうすると、ポップアップ表示ウインドウ１１０２の表示もその順序でソートされている。この状態で、図示のようにプレビュー画像３０２Ｆの表示位置１１０３をタッチ操作することにより、プレビュー画像３０２Ｆが選択され、挿入位置１１０１に挿入される。
【００５０】
このような処理を可能にする操作端末１００の動作内容を、図１４を参照して説明する。
図１４は、操作制御部１０５（ＣＰＵ）により実行される制御手順説明図である。Ｓ４０１〜Ｓ４０５は、図８のＳ１０１〜Ｓ１０５、Ｓ４０７〜Ｓ４０９は、図８のＳ１０７〜Ｓ１０９での説明とそれぞれ同様となる。そのため、重複する部分の説明は省略する。
【００５１】
Ｓ４０５において、検知された操作が、プレビュー画像のページ間の挿入操作であったと判定された場合（Ｓ４０５：YES）、操作制御部１０５は、タッチ操作された位置のプレビュー画像間を、挿入位置として確定する（Ｓ４０６）。
次に、操作制御部１０５は、移動対象となる複数のプレビュー画像が選択されているか否かを判定する（Ｓ４１０）。複数ではなく１つだけ選択されている場合は（Ｓ４１０：NO）、そのプレビュー画像を挿入し（Ｓ４１２）、Ｓ４０２へ戻る。
Ｓ４１０において、複数のプレビュー画像が選択されている場合は（Ｓ４１０：YES）、ユーザに挿入するプレビュー画像の選択を促すための挿入選択メニューを表示させる（Ｓ４１１）。この表示に対して、図１３（ｂ）のような選択が行われると、選択された順序でプレビュー画像を挿入する（Ｓ４１２）。その後、Ｓ４０２へ戻る。
【００５２】
このような形態をとることにより、複数のプレビュー画像が選択された場合であっても、その中から任意の数のオブジェクトを任意の順序で選択し、所望の挿入位置へ挿入させることができる。
なお、この実施形態では、複数のプレビュー画像が選択された状態で挿入操作を検知すると、即座に選択する挿入選択メニューを表示するものとして説明したが、別の構成をとってもかまわない。例えば、短時間のタッチ操作か長押し操作かにより、Ｓ４０５及びＳ４１０の判定条件を調整してもかまわない。例えば短時間のタッチ操作では、全ての選択済みのプレビュー画像を挿入する。他方、長押し操作では、挿入選択メニューを表示し、上記の操作を行う。このようにすることで、操作ステップ数を減らすことができ、ユーザの操作性がさらに向上する。
【００５３】
［第５実施形態］
第１実施形態では、移動対象となるプレビュー画像が選択された場合、選択されたプレビュー画像の表示を削除するものとして説明した。また、第４実施形態では、移動対象として複数のプレビュー画像が選択されているときに挿入操作を行うと、選択されているプレビュー画像を表示する例を説明した。
しかし、移動対象となるプレビュー画像が選択されたときに、これらをオブジェクト表示領域３０３外に、表示しておくことも想定される。第５実施形態では、この場合の操作端末１００の動作例について説明する。すなわち、移動対象として選択されたプレビュー画像をオブジェクト表示領域３０３外に表示し、ユーザが指を用いてページ位置の調整をより直観的に操作する場合の例を説明する。図１５は、この場合の操作の概念を示す。
【００５４】
図１５（ａ）は、この実施形態における操作端末１００のタッチスクリーン・ディスプレイ２０１上の表示画面３０１のレイアウト例を示す。表示画面３０１には、上述したオブジェクト表示領域３０３のほか、移動対象として認識したプレビュー画像を表示するためのバッファ領域１３０１、１３０２が表示されている。
【００５５】
本例では、プレビュー画像３０２Ａと、プレビュー画像３０２Ｂとを移動対象とする。この場合は、タッチスクリーン・ディスプレイ２０１に対し、図１５（ｂ）に示すプレビュー画像３０２Ａの表示位置１３０３からバッファ領域１３０１までドラッグ操作し、その位置１３０４で指を離す。また、プレビュー画像３０２Ｂの表示位置１３０５からバッファ領域１３０２までドラッグ操作し、その位置１３０６で指を離す。図１５（ｃ）は、指を離した後の表示画面３０１の状態を示している。プレビュー画像３０２Ａは、サムネイル画像１３０７Ａ、プレビュー画像３０２Ｂはサムネイル画像１３０７Ｂとして表示される。
【００５６】
このようにすることで、現在、どのプレビュー画像が移動対象として選択されているかをユーザが直観的に把握することができる。また、複数のバッファ領域を用いることで、それぞれ別の選択グループのものとして分類することができる。
【００５７】
図１５（ｄ）は、ユーザが、さらにバッファ領域１３０１、１３０２に、２つの移動対象となるプレビュー画像を選択した場合の表示例を示す。すなわち、２つのサムネイル画像１３０７Ｐ、１３０７Ｑがバッファ領域１３０１，１３０２に表示されている。
ここで、バッファ領域１３０１の表示位置１３０８からプレビュー画像３０２Ｉとプレビュー画像３０２Ｊとの間の挿入位置１３０９に、指を接したまま移動する操作を行ったとする。この場合、バッファ領域１３０１に表示されているサムネイル画像に対応する全てのプレビュー画像が挿入位置１３０９に挿入される。
一方、バッファ領域１３０２内のサムネイル画像１３０７Ｑの表示位置１３１０からプレビュー画像３０２Ｋと３０２Ｌの間の挿入位置１３１１に、指を接したまま移動する操作を行うと、そのサムネイル画像１３０７Ｑに対応するプレビュー画像だけが、挿入位置１３１１に挿入される。
【００５８】
このような動作を可能にする操作端末１００の動作内容を、図１６を参照して説明する。図１６は、操作制御部１０５（ＣＰＵ）により実行される制御手順説明図である。Ｓ５０１〜Ｓ５０２は、図８のＳ１０１〜Ｓ１０２、Ｓ５０７〜Ｓ５０９は、図８のＳ１０７〜Ｓ１０９での説明とそれぞれ同様となる。そのため、重複する部分の説明は省略する。
【００５９】
操作制御部１０５は、Ｓ５０１において、オブジェクト表示領域３０３にプレビュー画像を表示した後、バッファ領域１３０１，１３０２を表示させる（Ｓ５１０）。このとき、タッチスクリーン・ディスプレイ２０１が所定の大きさ以上であると判断した場合のみ、バッファ領域１３０１，１３０２を表示するようにしても良い。このようにすることで、表示領域の広い操作端末１００の場合のみ、バッファ領域１３０１，１３０２を表示することが可能となる。
【００６０】
また、図１５（ａ）の例では、２つのバッファ領域１３０１，１３０２を表示したが、１つだけとし、ユーザによる操作がバッファ領域を増やす操作と判定した場合にだけ、２つあるいはそれ以上に増やす制御を行っても良い。このようにすることで、単に、プレビュー画像を表示したいだけのユーザと、複数のバッファ領域を分類のために活用したいユーザとで、ニーズに適した操作環境を提供することができる。
【００６１】
バッファ領域、例えば１つのバッファ領域１３０１の表示後、操作制御部１０５は、Ｓ５０２で検知した操作が、プレビュー画像を、オブジェクト表示領域３０３からバッファ領域１３０１へ移動（OUT）する移動操作（OUT）か否かを判定する（Ｓ５０３）。そのような移動操作（OUT）であった場合は（Ｓ５０３：YES）、選択されたプレビュー画像の表示をオブジェクト表示領域３０３から削除する。また、バッファ領域１３０１にサムネイル画像を表示する制御を行う。サムネイル画像は、対応するプレビュー画像の表示サイズを縮小したものである。プレビュー画像と共に、ＲＡＭ１０７に格納しておく。なお、対応するプレビュー画像をＲＡＭ１０７に残さず、必要なときに、適宜、ＭＦＰ部１２０からプレビュー画像データとして受信してもかまわない。
【００６２】
操作制御部１０５は、Ｓ５０２で検知した操作がバッファ領域１３０１への移動操作（OUT）でなかった場合は（Ｓ５０３：NO）、以下の制御を行う。
バッファ領域１３０１からプレビュー画像間の挿入位置への挿入操作であった場合は（Ｓ５０５：YES）、挿入位置を確定する（Ｓ５０６）。すなわち、Ｓ５０５において、タッチ操作されたプレビュー画像間の位置を挿入位置として確定する。その後、Ｓ５０２で検知した操作が、バッファ領域１３０１のサムネイル画像を挿入位置へ移動（IN）する移動操作（IN）か否かを判定する（Ｓ５１１）。そのような移動操作（IN）であった場合は（Ｓ５１１：YES）、対応するプレビュー画像を確定し、挿入位置へ挿入する（Ｓ５１２）。Ｓ５１１において、移動操作（IN）でなかった場合（Ｓ５１１：NO）、バッファ領域１３０１に表示されていたサムネイル画像に対応する全てのプレビュー画像を挿入位置へ挿入する（Ｓ５１３）。
【００６３】
このような形態をとることにより、移動対象となるプレビュー画像の選択を認識したときに、認識したプレビュー画像のサムネイル画像をオブジェクト表示領域３０３外に表示しておくことができる。そのため、第１〜第４実施形態の場合よりも、より直観的にプレビュー画像のページ移動を行う操作環境をユーザに提供することができる。
【００６４】
［第６実施形態］
第１〜第５実施形態では、表示するオブジェクトの例として、プレビュー画像ないしサムネイル画像を例に挙げて説明したが、オブジェクトは、アイコン画像であっても良い。第６実施形態では、操作端末１００の画面上でのアイコン画像の位置調整例について説明する。操作端末１００のハードウエア構成、並びに、オブジェクトの移動手順については、第１〜第５実施形態の説明と同様となる。そのため、重複する部分の説明は省略する。
【００６５】
この実施形態におけるユーザインタフェースの概念を図１７に示す。図１７（ａ）は、操作端末１００の液晶ディスプレイ１０２に表示される、複数のアイコン画像の表示画面１５５０の例を示す。図示の例では、オブジェクト表示領域１５２０に、９個のアイコン画像１５０１〜１５０９が表示されている。また、液晶ディスプレイ１０２には表示されていないが、画面１５５０の右側には、次ページの潜在画面１５５１が存在する。この潜在画面１５５１には、７個のアイコン画像１５１０〜１５１６が表示可能な態様で配置されている。
【００６６】
このような表示状態のときに、一つのアイコン画像１５０８を他の位置へ移動したいとする。この場合には、図１７（ｂ）に示すように、まず、操作端末１００のタッチスクリーン１０１に対して、アイコン画像１５０８の表示位置１５２１をタッチ操作する。その後、オブジェクト表示領域１５２０外の位置１５２２までそれをドラッグ操作する。ドラッグ操作を完了すると、図１７（ｃ）に示すように、アイコン画像１５０８の表示がオブジェクト表示領域１５２０から削除される。
【００６７】
このアイコン画像１５０８は、潜在画面１５５１に配置されているアイコン画像１５１４とアイコン画像１５１５との間まで移動させたいものとする。この場合は、図１７（ｄ）に示すように、タッチスクリーン１０１に接している指を右から左の方向１５２３にスクロールさせる。このスクロール操作により、潜在画面１５５１中のアイコン画像１５１０〜１５１６が、徐々に液晶ディスプレイ１０２に表示され始める。
【００６８】
挿入したい位置が表示されると、図１７（ｅ）に示すように、オブジェクト表示領域１５２０外の位置１５２４にタッチ操作し、そこから挿入したい位置１５２５まで、指をタッチスクリーン１０１に接したまま移動させる。この操作により、挿入位置１５２５が確定し、その挿入位置１５２５に、アイコン画像１５０８が挿入される。これにより、アイコン画像の移動が完了する。図１７（ｆ）は、アイコン移動が完了した後の表示画面１５５０である。
【００６９】
このように、第６実施形態では、タッチスクリーン・ディスプレイ２０１上で移動したいアイコン画像を選択することで、一つの処理が完了する。次いで、選択されたアイコン画像以外の他のアイコン画像を全て移動させる。移動先での挿入位置が表示されると、その挿入位置を指定し、そこに、先に選択したアイコン画像を挿入させる。そのため、直観的で、わかりやすいアイコン画像の位置調整を行う操作環境をユーザに提供することができる。
【００７０】
［他の実施形態］
なお、上記各実施形態では、操作端末１００がＭＦＰ部１２０とネットワークを介して通信する構成の場合について説明したが、操作端末１００をＭＦＰ部１２０とが一体化された構成であってもよい。つまり、画像処理装置を操作するためのユーザインタフェースとしてのタッチスクリーン・ディスプレイを用いて上述の機能を実施するようにしてもよい。
また、ＭＦＰ部１２０を操作する操作端末１００に限らず、携帯電話やタブレット、ＰＤＡ、デジタルカメラなど、タッチスクリーン・ディスプレイを備えるあらゆる装置に本発明を適用することが可能である。
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００７１】
１００・・・操作端末、１０１・・・タッチスクリーン、１０２・・・液晶ディスプレイ、１０５・・・操作制御部、１０７、１１６・・・メモリ、１０９,１１１・・・ネットワーク通信部、１１０，１１９・・・アンテナ。１１２・・・ＭＦＰ部のＣＰＵ、１１３・・・ＲＯＭ、１１４・・・画像処理部、１１５・・・プレビュー画像生成部、１１７・・・プリンタ部、１１８・・・スキャナ部、１２０・・・ＭＦＰ部。２０１・・・タッチスクリーン・ディスプレイ。３０１，１５５０・・・表示画面、３０２・・・プレビュー画像、３０３・・・オブジェクト表示領域、１３０１，１３０２・・・バッファ領域、１５０１〜１５１６・・・アイコン画像、１５５１・・・潜在画面。
【図１】
2014106941.tif 000003
【図２】
2014106941.tif 000004
【図３】
2014106941.tif 000005
【図４】
2014106941.tif 000006
【図５】
2014106941.tif 000007
【図６】
2014106941.tif 000008
【図７】
2014106941.tif 000009
【図８】
2014106941.tif 000010
【図９】
2014106941.tif 000011
【図１０】
2014106941.tif 000012
【図１１】
2014106941.tif 000013
【図１２】
2014106941.tif 000014
【図１３】
2014106941.tif 000015
【図１４】
2014106941.tif 000016
【図１５】
2014106941.tif 000017
【図１６】
2014106941.tif 000018
【図１７】
2014106941.tif 000019